Podtech/llm-jp-corpus-v4-ja_patent huggingface dataset:
【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  配列番号（ＳＥＱ  ＩＤ  ＮＯ）：１に示されたヌクレオチド配列又はその相補体を含む単離された核酸分子。
【請求項２】  配列番号（ＳＥＱ  ＩＤ  ＮＯ）：２に示されたアミノ酸配列又はその相補体を含むポリペプチドをコードする単離された核酸分子。
【請求項３】  配列番号（ＳＥＱ  ＩＤ  ＮＯ）：２に示されたアミノ酸配列又はその相補体を含むポリペプチドの自然に発生する対立性変異体をコードする単離された核酸分子。
【請求項４】  配列番号（ＳＥＱ  ＩＤ  ＮＯ）：１に示されたヌクレオチド配列又はその相補体の全体に対して、少なくとも５０％が相同的であるヌクレオチド配列を含む単離された核酸分子。
【請求項５】  配列番号（ＳＥＱ  ＩＤ  ＮＯ）：１に示されたヌクレオチド配列又はその相補体に隣接する少なくとも１５個の核酸フラグメントを含む単離された核酸分子。
【請求項６】  配列番号（ＳＥＱ  ＩＤ  ＮＯ）：２に示されたアミノ酸配列又はその相補体の全体に対して、少なくとも５０％が相同的であるアミノ酸配列を含むポリペプチドをコードする単離された核酸分子。
【請求項７】  請求項１〜６のいずれかに記載の核酸分子、及び異種ポリペプチドをコードするヌクレオチド配列を含む単離された核酸分子。
【請求項８】  請求項１から７のいずれかに記載の核酸分子を含むベクター。
【請求項９】  発現ベクターである、請求項８に記載のベクター。
【請求項１０】  請求項９に記載の発現ベクターによりトランスフェクションされた宿主細胞。
【請求項１１】  前記細胞が微生物である請求項１０に記載の宿主細胞。
【請求項１２】  前記細胞が、コリネバクテリウム属またはブレビバクテリウム属に属する請求項１１に記載の宿主細胞。
【請求項１３】  前記核酸分子の発現により、前記細胞からのファインケミカルの製造が調節される請求項１０に記載の宿主細胞。
【請求項１４】  当該ファインケミカルが、有機酸、タンパク原および非タンパク原アミノ酸、プリンおよびピリミジン塩基、ヌクレオシド、ヌクレオチド、脂質、飽和および不飽和の脂肪酸、ジオール、炭水化物、芳香族化合物、ビタミン、補助因子、ポリケチド、および酵素からなる群より選択される、請求項１３に記載の宿主細胞。
【請求項１５】  適当な培地中で請求項１０に記載の宿主細胞を培養し、これによりポリペプチドを製造することを含む、ポリペプチドの製造方法。
【請求項１６】  配列番号（ＳＥＱ  ＩＤ  ＮＯ）：２に示されたアミノ酸配列を含む単離されたポリペプチド。
【請求項１７】  配列番号（ＳＥＱ  ＩＤ  ＮＯ）：２に示されたアミノ酸配列を含むポリペプチドの自然に発生する対立性変異体を含む単離されたポリペプチド。
【請求項１８】  配列番号（ＳＥＱ  ＩＤ  ＮＯ）：１に示されたヌクレオチド配列の全体に対して、少なくとも５０％が相同的であるヌクレオチド配列を含む核酸分子によってコードされた単離されたポリペプチド。
【請求項１９】  配列番号（ＳＥＱ  ＩＤ  ＮＯ）：２に示されたアミノ酸配列の全体に対して、少なくとも５０％が相同的であるアミノ酸配列を含む単離されたポリペプチド。
【請求項２０】  ポリペプチドフラグメントが配列番号（ＳＥＱ  ＩＤ  ＮＯ）：２に示されたアミノ酸配列を含むポリペプチドの生物学的活性を維持する、配列番号（ＳＥＱ  ＩＤ  ＮＯ）：２に示されたアミノ酸配列を含むポリペプチドのフラグメントを含む単離されたポリペプチド。
【請求項２１】  配列番号（ＳＥＱ  ＩＤ  ＮＯ）：１に示されたヌクレオチド配列を含む核酸分子によってコードされたアミノ酸配列を含む単離されたポリペプチド。
【請求項２２】  さらに異種アミノ酸配列を含む請求項１６〜２１のいずれかに記載の単離されたポリペプチド。
【請求項２３】  請求項１０に記載の細胞を培養してファインケミカルを製造するファインケミカルの製造方法。
【請求項２４】  さらに培養物からファインケミカルを回収する工程を含む請求項２３に記載の方法。
【請求項２５】  細胞が、コリネバクテリウム属またはブレビバクテリウム属に属する請求項２３に記載の方法。
【請求項２６】  当該細胞が、コリネバクテリウム−グルタミカム, コリネバクテリウム−ヘルキュリス、コリネバクテリウム−リリウム、コリネバクテリウム−アセトアシドフィリウム、コリネバクテリウム−アセトグルタミカム、コリネバクテリウム−アセトフィリウム、コリネバクテリウム−アンモニアゲン、 コリネバクテリウム−フジオケンス、コリネバクテリウム−ニトリロフィリウス、 ブレビバクテリウム−アンモニアゲン、ブレビバクテリウム−ブタニカム、 ブレビバクテリウム−ジバリカツム、ブレビバクテリウム−フラビン、ブレビバクテリウム−ヘアリ、ブレビバクテリウム−ケトグルタミカム、ブレビバクテリウム−ケトソレダクタム、ブレビバクテリウム−ラクトフェルメンタム、ブレビバクテリウム−リネンス、ブレビバクテリウム−パラフィノリツカム、および表３に記載の株からなる群より選択される請求項２３に記載の方法。
【請求項２７】  前記ベクターによる核酸分子の発現により、前記ファインケミカルの製造の調節される請求項２３に記載の方法。
【請求項２８】  前記ファインケミカルが、有機酸、タンパク原および非タンパク原アミノ酸、プリンおよびピリミジン塩基、ヌクレオシド、ヌクレオチド、脂質、飽和および不飽和の脂肪酸、ジオール、炭水化物、芳香族化合物、ビタミン、補助因子、ポリケチド、および酵素からなる群より選択される、請求項２３に記載の方法。
【請求項２９】  ファインケミカルがアミノ酸である、請求項２３に記載の方法。
【請求項３０】  アミノ酸が、リジン、グルタマート、グルタミン、アラニン、アスパルタート、グリシン、セリン、トレオニン、メチオニン、システイン、バリン、ロイシン、イソロイシン、アルギニン、プロリン、ヒスチジン、チロシン、フェニルアラニン、およびトリプトファンから成る群より選択される、請求項２９に記載の方法。
【請求項３１】  請求項１から６のいずれかに記載の核酸分子の含有によってゲノムＤＮＡが変異した細胞を培養する工程を含むファインケミカルの製造方法。
【請求項３２】  請求項１〜６のいずれかに記載の核酸分子、または請求項１６〜２１のいずれかに記載のポリペプチド分子の１種以上の存在を検出する工程を含み、これによりコリネバクテリウム−ジフテリアの存在または活性を検出する、コリネバクテリウム−ジフテリアの存在または活性を検出する方法。
【請求項３３】  配列番号（ＳＥＱ  ＩＤ  ＮＯ）：１に示された核酸分子を含み、核酸分子が混乱している宿主細胞。
【請求項３４】  配列番号（ＳＥＱ  ＩＤ  ＮＯ）：１に示された核酸分子を含み、核酸分子が配列番号（ＳＥＱ  ＩＤ  ＮＯ）：１に示された配列に対して一個以上の核酸の修飾を含む宿主細胞。
【請求項３５】  配列番号（ＳＥＱ  ＩＤ  ＮＯ）：１に示された核酸分子を含み、核酸分子の調節領域が、分子の野生種の調節領域と関連して修飾されている、宿主細胞。
【誤訳訂正書】
【提出日】平成19年8月30日(2007.8.30)
【誤訳訂正１】
【訂正対象書類名】特許請求の範囲
【訂正対象項目名】全文
【訂正方法】変更
【訂正の内容】
【特許請求の範囲】
【請求項１】
イソシアネート基の二量化を促進する触媒の存在下で、イソホロンジイソシアネートのイソシアネート基の一部をオリゴマー化し、任意にオリゴマー化反応を所定のオリゴマー化度で触媒毒を添加することにより停止させ、および任意に未反応ジイソシアネート過剰分を抽出または薄膜蒸留で除去することによるウレトジオン基含有ポリイソシアネートの製造方法であって、使用するオリゴマー化触媒が、アニオン中に１,２,３-および／または１,２,４-トリアゾレート構造（Ｃ2Ｎ3；分子量＝６６として計算）１０〜１００質量％を有する塩様化合物を含むことを特徴とする方法。
【誤訳訂正２】
【訂正対象書類名】明細書
【訂正対象項目名】０００８
【訂正方法】変更
【訂正の内容】
【０００８】
本発明の方法を提供することにより、この目的を達成することができる。
本発明は、イソシアネート基の二量化を促進する触媒の存在下で、イソホロンジイソシアネートのイソシアネート基の一部をオリゴマー化し、任意にオリゴマー化反応を所定のオリゴマー化度で触媒毒を添加することにより停止させ、および任意に未反応ジイソシアネート過剰分を抽出または薄膜蒸留で除去することによるウレトジオン基含有ポリイソシアネートの製造方法を提供し、該方法は、使用するオリゴマー化触媒が、アニオン中に１,２,３-および／または１,２,４-トリアゾレート構造（Ｃ2Ｎ3；分子量＝６６として計算）１０〜９７.１質量％を有する塩様化合物を含むことを特徴とする。
【誤訳訂正３】
【訂正対象書類名】明細書
【訂正対象項目名】００１１
【訂正方法】変更
【訂正の内容】
【００１１】
本発明の方法で使用するオリゴマー化触媒は、アニオン中に１,２,３-および／または１,２,４-トリアゾレート構造（Ｃ2Ｎ3；分子量＝６６として計算）１０〜９７.１質量％を有する塩様化合物を含む。これらは、一般式（I）および／または（II）：
【化１】
2004534871.tif 000001
〔式中、
Ｒ1、Ｒ2、Ｒ3およびＲ4は、同じまたは異なる基を表し、それぞれ、水素原子、フッ素、塩素若しくは臭素の群からのハロゲン原子、またはニトロ基、飽和若しくは不飽和の脂肪族若しくは脂環式基、または２０個までの炭素原子および任意に酸素、硫黄、窒素の群からの３個までのヘテロ原子を含有することができ、任意にハロゲン原子若しくはニトロ基により置換され得る、任意に置換されていても良い芳香族若しくは芳香脂肪族基を示し、
その中で
式（II）中のＲ3およびＲ4は、相互に共同して、５員環の１,２,３-トリアゾール環の炭素原子および任意にさらなる窒素原子または酸素原子と共に、３〜６個の炭素原子を有する縮合環を形成することもできる。〕
で示されるトリアゾレート構造をアニオン中に有する化合物である。
【誤訳訂正４】
【訂正対象書類名】明細書
【訂正対象項目名】００１２
【訂正方法】変更
【訂正の内容】
【００１２】
好ましいオリゴマー化触媒は、式中のＲ1およびＲ2が、同じまたは異なる基を表し、それぞれ、水素原子、フッ素、塩素若しくは臭素の群からのハロゲン原子、またはニトロ基、飽和脂肪族若しくは脂環式基、または１２個までの炭素原子および任意に酸素、硫黄、窒素の群からの３個までのヘテロ原子を含有することができ、任意にハロゲン原子若しくはニトロ基により置換され得る、任意に置換されていても良い芳香族若しくは芳香脂肪族基を示す、一般式（I）で示されるトリアゾレート構造をアニオン中に有する触媒である。
【誤訳訂正５】
【訂正対象書類名】明細書
【訂正対象項目名】００１３
【訂正方法】変更
【訂正の内容】
【００１３】
同様に好ましいオリゴマー化触媒は、式中のＲ3およびＲ4が、同じまたは異なる基を表し、それぞれ、水素原子、フッ素、塩素若しくは臭素の群からのハロゲン原子、またはニトロ基、飽和若しくは不飽和の脂肪族若しくは脂環式基、または１２個までの炭素原子および任意に酸素、硫黄、窒素の群からの３個までのヘテロ原子を含有することができ、任意にハロゲン原子若しくはニトロ基により置換され得る、任意に置換されていても良い芳香族若しくは芳香脂肪族基を示し、並びにＲ3およびＲ4が相互に共同して、５員環の１,２,３-トリアゾール環の炭素原子および任意にさらなる窒素原子または酸素原子と共に、３〜６個の炭素原子を有する縮合環を形成することもできる、一般式（II）で示されるトリアゾレート構造をアニオン中に有する触媒である。
本発明の方法のために特に好ましいオリゴマー化触媒は、１,２,４-トリアゾールの塩、１,２,３-トリアゾールの塩および／または１,２,３-ベンゾトリアゾールの塩である。
【誤訳訂正６】
【訂正対象書類名】明細書
【訂正対象項目名】００３０
【訂正方法】変更
【訂正の内容】
【００３０】
全ての割合（％）は、他の記載が無い限り、質量による。
触媒の製造
触媒１：ナトリウム１,２,４-トリアゾレート
機械的攪拌機、内部温度計および還流冷却器を備えた三ツ口フラスコ攪拌装置に、乾燥メタノール２００ｍｌおよび３０％濃度のナトリウムメトキシドのメタノール溶液４８ｍｌ（ナトリウムメトキシド０.２５ｍｏｌに相当する。）を、乾燥窒素下で装填する。１,２,４-トリアゾール１７.４ｇ（０.２５ｍｏｌ）を、室温で分けて添加する。１,２,４-トリアゾールを添加し終えたら、反応混合物を還流温度で４時間攪拌する。次いで溶媒を減圧下で留去し、残ったオイル状残留物を、室温で塩化メチレン２００ｍｌと混合する。混合物を１５分間攪拌し、沈殿固形生成物を濾過する。こうして、ナトリウム１,２,４-トリアゾレート２２.５ｇ（収率：９８％）が、無色粉末の形態で得られる。1Ｈ-ＮＭＲ分光法によれば、生成物は純粋であり、使用した１,２,４-トリアゾールは無い。
【誤訳訂正書】
【提出日】平成19年8月23日(2007.8.23)
【誤訳訂正１】
【訂正対象書類名】明細書
【訂正対象項目名】０００９
【訂正方法】変更
【訂正の内容】
【０００９】
場合によっては、上述のプロセスのうち任意のプロセスの前又は後のいずれかにて、ポリマーに熱安定性を与えるために、最終組成物１００重量部当たり０．０３〜０．５重量部の少なくとも５００ダルトンの分子量を有する立体障害フェノール及び０．３重量部以下の式Ｐ（ＯＲ’）3（式中、Ｒ’は独立にアルキル基又はアリール基を表し、少なくとも一方は立体障害されている）の有機亜リン酸エステルとポリマーを溶融混合してもよい。
【誤訳訂正２】
【訂正対象書類名】明細書
【訂正対象項目名】００１４
【訂正方法】変更
【訂正の内容】
【００１４】
揮発性炭化水素化合物は、一般に、重合反応中に形成されたプロピレンオリゴマーである。これらは、通常、９〜３９個の炭素原子を含む。
典型的にはポリマー中に組み込まれてポリマーの熱安定性を増強するが、しかし、分解生成物及び／又は汚染物を介して揮発性化合物の原因となる添加剤は、立体障害フェノール類及び式Ｐ（ＯＲ）3（式中、Ｒは独立にアルキル基又はアリール基を表す）の有機亜リン酸エステルを含む。しかし、特に５００ダルトン未満の分子量を有する立体障害フェノール（フェノール（ａ））、及び式Ｐ（ＯＲ）3（式中Ｒ基の何れも立体障害アルキル基又はアリール基ではない）の有機亜リン酸エステル（亜リン酸エステル（ａ））が、揮発性化合物の主要な原因である。
【誤訳訂正３】
【訂正対象書類名】明細書
【訂正対象項目名】００１７
【訂正方法】変更
【訂正の内容】
【００１７】
逆に、少なくとも５００ダルトンの分子量を有する立体障害フェノール類（フェノール（ｂ））、及び式Ｐ（ＯＲ’）3（式中、各Ｒ’は独立にアルキル基又はアリール基を示し、少なくとも１のＲ’は立体障害アルキル基又はアリール基を示す）の有機亜リン酸エステル（亜リン酸エステル（ｂ））は、耐フォギング性に関してもっと低い不利な効果を有し、これらが添加されたものに対して有益な熱安定性を保持する。したがって、１００重量部当たり、少なくとも５００ダルトンの分子量を有する立体障害フェノール類（フェノール（ｂ））０．０３〜０．５重量部と、式Ｐ（ＯＲ’）3（式中、各Ｒ’は独立にアルキル基又はアリール基を示し、少なくとも１のＲ’は立体障害アルキル基又はアリール基を示す）の有機亜リン酸エステル（亜リン酸エステル（ｂ））０．３重量部以下とを含有する組成物が好ましい。
【誤訳訂正書】
【提出日】平成19年5月28日(2007.5.28)
【誤訳訂正１】
【訂正対象書類名】明細書
【訂正対象項目名】００１５
【訂正方法】変更
【訂正の内容】
【００１５】
本発明の範囲において、熱的かつ電気的絶縁ファブリックは、不織布、織布、編織物あるいはニット織物として理解されるべきであり、これらは、金属ファイバフリースのエッジと接触すべきファブリックの表面に熱的かつ電気的絶縁ファイバを備える。全てのファブリックは、このような熱的かつ電気的絶縁ファイバで形成されることが最も好ましいが、しかしながら、エッジと接触する側面を熱的かつ電気的絶縁ファイバとし、その反対側の側面を金属ファイバとするような組合せが用いられてもよい。このような熱的かつ電気的絶縁ファイバは、Ａｌ2Ｏ3および／またはＳｉＯ2を含むファイバ、例えば、ＮＥＸＴＥＬ（登録商標）ファイバのようなセラミックファイバであることが好ましい。
【誤訳訂正２】
【訂正対象書類名】明細書
【訂正対象項目名】００１６
【訂正方法】変更
【訂正の内容】
【００１６】
このファブリックの厚みは、３〜６ｍｍの間であることが好ましい。織布または不織布が好ましい。
【誤訳訂正３】
【訂正対象書類名】明細書
【訂正対象項目名】００３０
【訂正方法】変更
【訂正の内容】
【００３０】
本発明に係るフィルタエレメントを提供するために使用される金属ファイバフリースは、金属ファイバの複数の層からなることが好ましい。各ファイバ層は、ある等価直径（equivalent diameter）を有するファイバで形成されている。最も粗いファイバを有する層がフィルタエレメントの流入側に面していると共に、最も微細なファイバを有する金属ファイバの層がフィルタの流出側に面している時に、最良の濾過結果が得られた。このような層状の金属ファイバフリースの一例としては、３５μｍの等価直径を有する金属ファイバの層と、１７μｍの等価直径を有する金属ファイバの層とで形成された金属ファイバフリースがある。２２μｍの等価直径を有する金属ファイバの層は、可能であれば、これら二つの層の間に位置することができる。８５％を越える有孔率（気孔率）が好ましく、フリースの平方メートル当たりの重量は、例えば、１４５０ｇ／ｍ2のような１５００ｇ／ｍ2未満であることが好ましい。
【誤訳訂正４】
【訂正対象書類名】明細書
【訂正対象項目名】００３１
【訂正方法】変更
【訂正の内容】
【００３１】
等価直径は、本願に記載されているファイバを、該ファイバのラジアルカット（半径方向の断面）と同じ表面領域（断面積）を有するような仮想的な円形のファイバに置き換えたときの、その仮想的な円形のファイバのラジアルカットの直径として理解されるべきである。
【誤訳訂正５】
【訂正対象書類名】明細書
【訂正対象項目名】００５２
【訂正方法】変更
【訂正の内容】
【００５２】
フィルタ媒体には、三層のステンレススチールファイバで形成された焼結媒体ファイバフリースが使用されている。第１の層は、１７μｍの等価直径を有する６００ｇ／ｍ2のＦｅｃｒａｌｌｏｙ（登録商標）ファイバで形成されている。Ｆｅｃｒａｌｌｏｙファイバの第２の層は、第１の層の上に付着されている。この層は、２２μｍの等価直径を有する２５０ｇ／ｍ2のファイバで形成されている。Ｆｅｃｒａｌｌｏｙファイバの第３の層は、第２の層の上に付着され、かつ３５μｍの等価直径を有するファイバを有している。この第３の層は、６００ｇ／ｍ2のファイバで形成されている。
【誤訳訂正６】
【訂正対象書類名】明細書
【訂正対象項目名】００５５
【訂正方法】変更
【訂正の内容】
【００５５】
すすは、いわゆる、デプスフィルタ（depth filter）される。上述の実施形態においては、すすの粒子が複数の層（三層）から構成されるフィルタ媒体の全深さを通してトラップされると理解されるべきである。
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
配列番号：１および配列番号：２よりなる群から選択されるＤＮＡ分子である、または該ＤＮＡ分子に相補的である単離されたＤＮＡ分子。
【請求項２】
配列番号：１の少なくとも１１個の近接するヌクレオチド、またはその相補体を含むトウモロコシ事象ＭＯＮ８８０１７ ＤＮＡに特徴的であるＤＮＡプローブとして用いる単離されたＤＮＡ分子。
【請求項３】
配列番号：２の少なくとも１１個の近接するヌクレオチド、またはその相補体を含むトウモロコシ事象ＭＯＮ８８０１７に特徴的であるＤＮＡプローブとして用いる単離されたＤＮＡ分子。
【請求項４】
生物学的試料中のトウモロコシ事象ＭＯＮ８８０１７ヌクレオチド配列の存在の検出方法であって：
（ａ）該試料とＤＮＡプライマー対とを接触させ；
（ｂ）核酸増幅反応を行い、それにより、アンプリコンを生成し；次いで
（ｃ）該アンプリコンを検出する
ことを含み、ここに、該アンプリコンは配列番号：１または配列番号：２を含むことを特徴とする該検出方法。
【請求項５】
安定的に形質転換されたトウモロコシ植物であって、そのＤＮＡが請求項４記載の検出方法により付された場合に、配列番号：１または配列番号：２を含むＤＮＡアンプリコンを生成する該植物。
【請求項６】
該ＤＮＡプライマー対が、配列番号：６および配列番号：７に記載のヌクレオチド配列を含むことを特徴とする請求項４記載の検出方法。
【請求項７】
生物学的試料中のトウモロコシ事象ＭＯＮ８８０１７ＤＮＡの存在の検出方法であって、
（ａ）ストリンジェントなハイブリダイゼーション条件下でＭＯＮ８８０１７ＤＮＡとハイブリダイズし、かつストリンジェントなハイブリダイゼーション条件下でＭＯＮ８８０１７ＤＮＡではないトウモロコシ植物ゲノムＤＮＡとハイブリダイズしないプローブと、該試料とを接触させ、
ここに、該プローブは、配列番号：１または配列番号：２よりなる群から選択される配列であるか、または選択される該配列に相補的であり； 
（ｂ）該試料およびプローブをストリンジェントなハイブリダイゼーション条件に付し；次いで
（ｃ）ＭＯＮ８８０１７ＤＮＡへのプローブのハイブリダイゼーションを検出することを特徴とする該検出方法。
【請求項８】
試料中のトウモロコシ事象ＭＯＮ８８０１７ＤＮＡを含むトウモロコシ植物のＤＮＡの接合状態を決定する方法であって、
（ａ）（１）トウモロコシ事象ＭＯＮ８８０１７ＤＮＡを含む核酸増幅反応に用いられた場合に、トウモロコシ事象ＭＯＮ８８０１７に特徴的である第１のアンプリコンを生成する、および（２）ＭＯＮ８８０１７ＤＮＡ以外の天然のトウモロコシゲノムＤＮＡを含む核酸増幅反応に用いられた場合に、ＭＯＮ８８０１７中の挿入されたＤＮＡがトウモロコシ事象ＭＯＮ８８０１７に存在する天然のトウモロコシゲノムＤＮＡに特徴的である第２のアンプリコンを生成する、配列番号：３０、配列番号：３１および配列番号：３２を含む３つの異なるプライマーと、試料を接触させ； 
（ｂ）核酸増幅反応を行ない；次いで
（ｃ）生成されたアンプリコンを比較し、ここに、双方のアンプリコンの存在は、該試料の接合状態に特徴的であることを特徴とする該方法。
【請求項９】
少なくとも１つの親が、トウモロコシ事象ＭＯＮ８８０１７である雑種トウモロコシ種子。
【請求項１０】
ＡＴＣＣ受入番号ＰＴＡ−５５８２下寄託されたトウモロコシ植物の種子。
【請求項１１】
請求項１０記載の種子を生育させることにより生成したトウモロコシ植物ＭＯＮ８８０１７またはその器官。
【請求項１２】
請求項１１記載のトウモロコシ植物ＭＯＮ８８０１７の花粉、胚珠、種子、根または葉。
【請求項１３】
子孫が配列番号：１および配列番号：２を含む請求項１１記載のトウモロコシ植物ＭＯＮ８８０１７の子孫。
【請求項１４】
配列番号：１および配列番号：２を含むトウモロコシ植物。
【請求項１５】
配列番号：１および配列番号：２よりなる群から選択される少なくとも約１１〜約２０の連続ヌクレオチドを含む単離された核酸セグメント。
【請求項１６】
配列番号：１および配列番号：２よりなる群から選択される配列であるか、または選択される該配列に相補的であるヌクレオチド配列を含む単離されたポリヌクレオチド。
【請求項１７】
生物学的試料中のトウモロコシ事象ＭＯＮ８８０１７ポリヌクレオチドの存在の検出方法であって：
（ａ）ストリンジェントなハイブリダイゼーション条件下で該試料と、プローブを接触させ、ここに、該プローブは、配列番号：１および配列番号：２よりなる群から選択される配列であるか、または選択される該配列に相補的である連続ヌクレオチド配列を含み；次いで
（ｂ）該試料に対する該プローブのハイブリダイゼーションを検出し、ここに、該試料に対する該プローブのハイブリダイゼーションは、該試料中の該トウモロコシ事象ＭＯＮ８８０１７ポリヌクレオチドの存在に特徴的である
ことを特徴とする該検出方法。
【請求項１８】
配列番号：１および配列番号：２よりなる群から選択されるヌクレオチド配列を含み、コーンミール、コーンフラワー、トウモロコシ油、コーンシルク、コーンスターチおよび加工食品よりなる群から選択される商品生産物である組成物。
【請求項１９】
生物学的試料中のトウモロコシ事象ＭＯＮ８８０１７ＤＮＡの存在の検出に用いる長さが約１１〜約２０の連続ヌクレオチドのプローブであって、該連続ヌクレオチドが、配列番号：１および配列番号：２よりなる群から選択される該プローブ。
【請求項２０】
該プローブが、デオキシリボ核酸、リボ核酸およびヌクレオチドアナログよりなる群から選択されるヌクレオチドを含む請求項１９記載のプローブ。
【請求項２１】
該プローブが、少なくとも１つのフルオロフォアで標識された請求項２０記載のプローブ。
【請求項２２】
配列番号：１および配列番号：２よりなる群から選択されるトウモロコシ事象ＭＯＮ８８０１７ヌクレオチド配列を含む商品または食料。
【請求項２３】
トウモロコシ油、コーンスターチ、コーンミール、コーンフラワー、化粧品およびバルキング剤よりなる群から選択される請求項２２記載の商品または食料。
【請求項２４】
生物学的試料中のトウモロコシ事象ＭＯＮ８８０１７の存在に特徴的なヌクレオチド配列の存在の検出であって、
ここに、該生物学的試料は、トウモロコシ油、コーンミール、コーンフラワー、トウモロコシグルテン、コーンケーキおよびコーンスターチよりなる群から選択されることを特徴とする該検出。
【手続補正書】
【提出日】平成19年10月4日(2007.10.4)
【手続補正１】
【補正対象書類名】明細書
【補正対象項目名】００８５
【補正方法】変更
【補正の内容】
【００８５】
表４に示される結果は、ヒト・ガンマ１およびヒト・ガンマ１をキメラ化したＨ９０分子の両方がマウスのものより、ＴＨＰ−１およびＮＢ４細胞の両方の分化を誘導することに対して効果的であることを示す。実際に、ＴＨＰ−１細胞では、それらは、ＣＤ１５陽性細胞の百分率、ＣＤ１５蛍光強度により多い増加およびＣＤ１４陽性細胞の百分率のより多い増加を引き起こす。同様に、ＮＢ４細胞では、それらは、マウスＨ９０体よりＣＤ１５の発現を増加させ、それらは、ＣＤ１１ｂのレベルを増加させるのにマウスＨ９０と同程度に効果的であった；ヒト・ガンマ４によりキメラ化されたＨ９０は、この点で、ヒト・ガンマ１によりキメラ化されたＨ９０より効果的であった。
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
生物活性グレリンに結合する核酸。
【請求項２】
核酸が生物活性グレリンに特異的に結合して、特異的結合がＫｄ値として表され、核酸のＫｄが１０ｐＭ〜１μＭ、より好ましくは１００ｐＭ〜５００ｎＭ、そして最も好ましくは１ｎＭ〜１００ｎＭである請求項１に記載の核酸。
【請求項３】
生物活性グレリンがｎ−オクタノイルグレリンである請求項１もしくは２に記載の核酸。
【請求項４】
核酸がＬ−核酸、好ましくはシュピーゲルマー（ｓｐｉｅｇｅｌｍｅｒ）である請求項１〜３のいずれかに記載の核酸。
【請求項５】
核酸が図１Ｂに示す二次構造を有する請求項１〜４のいずれかに記載の核酸。
【請求項６】
核酸が配列番号１に記載の配列を含んでなり、好ましくはそれからなる請求項１〜５のいずれかに記載の核酸。
【請求項７】
核酸が配列番号２〜配列番号１５に記載の配列を含んでなり、好ましくはそれからなる請求項１〜６のいずれかに記載の核酸。
【請求項８】
生物活性グレリンの結合のための前記請求項のいずれかに記載の核酸の使用。
【請求項９】
生物活性グレリンの検出のための請求項１〜７のいずれかに記載の核酸の使用。
【請求項１０】
生物活性グレリンの阻害のための請求項１〜７のいずれかに記載の核酸の使用。
【請求項１１】
薬剤の製造のための請求項１〜７のいずれかに記載の核酸の使用。
【請求項１２】
薬剤が疾患および／もしくは障害の処置および／もしくは予防のためのものであり、疾患および／もしくは障害が肥満症、エネルギーバランス、食欲、体重の調節、摂食障害、糖尿病、グルコース代謝、腫瘍、血圧および心臓血管疾患を含んでなる群から選択される請求項１１に記載の使用。
【請求項１３】
以下の段階：
（ａ）生物活性グレリンの存在について試験されるべきサンプルを準備する段階、
（ｂ）請求項１〜７のいずれかに記載の核酸を準備する段階、
（ｃ）サンプルを核酸と反応させる段階
ここで、段階（ａ）は段階（ｂ）の前に行うことができ、または段階（ｂ）は段階（ａ
）の前に行うことができる、
を含んでなる生物活性グレリンの検出方法。
【請求項１４】
さらなる段階（ｄ）：
（ｄ）核酸とサンプルとの反応を検出する段階
が設けられる請求項１３に記載の方法。
【請求項１５】
段階（ｂ）の核酸が表面に固定される請求項１４に記載の方法。
【請求項１６】
請求項１〜７のいずれかに記載の核酸が蛍光部分を含んでなり、そしてここで、蛍光部分の蛍光が、核酸と生物活性グレリンおよび遊離の生物活性グレリンとの間の複合体形成の際に異なる請求項１４に記載の方法。
【請求項１７】
核酸が請求項１〜７のいずれかに記載の核酸の誘導体であり、ここで、核酸の誘導体がアデノシンを置換するアデノシンの少なくとも１つの蛍光性誘導体を含んでなる請求項１４〜１６のいずれかに記載の方法。
【請求項１８】
アデノシンの蛍光性誘導体がエテノアデノシンである請求項１７に記載の方法。
【請求項１９】
請求項１〜７のいずれかに記載の核酸の誘導体および生物活性グレリンからなる複合体が蛍光を用いて検出される請求項１６〜１８のいずれかに記載の方法。
【請求項２０】
生物活性グレリンがｎ−オクタノイルグレリンである請求項１３〜１９のいずれかに記載の方法。
【請求項２１】
シグナルが段階（ｃ）もしくは段階（ｄ）において作り出され、そして好ましくはシグナルがサンプル中の生物活性グレリンの濃度と相関性がある請求項１３〜２０のいずれかに記載の方法。
【請求項２２】
サンプルが血液、血漿、血清、液体および組織を含んでなる群から選択される請求項１３〜２１のいずれかに記載の方法。
【請求項２３】
方法が診断方法もしくは予測方法である請求項１３〜２２のいずれかに記載の方法。
【請求項２４】
方法が疾患および／もしくは障害を診断すること、病期分類すること、および／もしくは予測することのためであり、ここで好ましくは該疾患および／もしくは障害が肥満症、エネルギーバランス、食欲、体重の調節、摂食障害、糖尿病、グルコース代謝、腫瘍、血圧および心臓血管疾患を含んでなる群から選択される請求項２３に記載の方法。
【手続補正書】
【提出日】平成19年7月26日(2007.7.26)
【手続補正１】
【補正対象書類名】特許請求の範囲
【補正対象項目名】請求項７
【補正方法】変更
【補正の内容】
【請求項７】
アスパラギン酸-β-セミアルデヒドデヒドロゲナーゼ遺伝子が下記の群から選ばれるＤＮＡを含む請求項５記載の細菌。
(a) 配列番号１における塩基番号１〜１１０１の塩基配列を含むＤＮＡ、及び、
(b) 配列番号１における塩基番号１〜１１０１の塩基配列、又は、同塩基配列から調製され得るプローブとストリンジェントな条件でハイブリダイズし、かつ、アスパラギン酸-β-セミアルデヒドデヒドロゲナーゼ活性を有するタンパク質をコードするＤＮＡ。
【手続補正２】
【補正対象書類名】明細書
【補正対象項目名】００１８
【補正方法】変更
【補正の内容】
【００１８】
また、本発明では、アスパラギン酸-β-セミアルデヒドデヒドロゲナーゼ遺伝子が下記の群から選ばれるＤＮＡを含む上記細菌が提供される。
(a) 配列番号１における塩基番号１〜１１０１の塩基配列を含むＤＮＡ、及び、
(b) 配列番号１における塩基番号１〜１１０１の塩基配列、又は、同塩基配列から調製され得るプローブとストリンジェントな条件でハイブリダイズし、かつ、アスパラギン酸-β-セミアルデヒドデヒドロゲナーゼ活性を有するタンパク質をコードするＤＮＡ。
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
歯科矯正器具と歯の相対的配置を選択する方法であって、
前記器具と前記歯の第１の相対的配置を提供する工程、
前記器具と前記歯が前記第１の相対的配置にあるとき、前記器具のベースと前記歯の間に延びる第１組の射線群を規定する工程、
前記器具と前記歯が前記第１の相対的配置にあるとき、前記ベースと前記歯の間の各射線に沿う距離を決定する工程、
前記器具と前記歯を、基準軸を中心として円弧状に第２の相対的配置に相対的に移動させる工程、
前記器具と前記歯が前記第２の相対的配置にあるとき、前記ベースと前記歯の間に延びる第２組の射線群を規定する工程、
前記器具と前記歯が前記第２の相対的配置にあるとき、前記ベースと前記歯の間の各射線に沿う距離を決定する工程、
前記器具と前記歯が前記第１の相対的配置にあるときに決定される前記距離と、前記器具と前記歯が前記第２の相対的配置にあるときに決定される前記距離との差を定量化する工程、および
前記器具と前記歯を前記基準軸を中心として円弧状に、前記定量化された差が減少する方向に相対的に移動させる工程、
を含む、方法。
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
両端において開いており、腸の中へと延びるように構成されている非支持の可撓スリーブと、
前記スリーブの上流部に接続され、動物の体内に取り付けられるように構成されている波状アンカと、
を有している胃腸用埋め込み装置。
【請求項２】
請求項１において、前記波状アンカが、腸内に取り付けられるように構成されている胃腸用埋め込み装置。
【請求項３】
請求項２において、前記波状アンカが、十二指腸に取り付けられるように構成されている胃腸用埋め込み装置。
【請求項４】
請求項２において、前記波状アンカが、十二指腸球部に取り付けられるように構成されている胃腸用埋め込み装置。
【請求項５】
請求項１において、前記波状アンカが、腸内に着脱可能に取り付けられるように構成されている胃腸用埋め込み装置。
【請求項６】
請求項１において、前記波状アンカが、中心軸の周囲に形成された細長い弾性部材を含んでおり、第１の端部および第２の端部を有するとともに、それらの間に中央管腔を定めており、前記弾性部材が、前記中心軸の周囲を前記第１の端部と前記第２の端部との間で往復する振幅パターンを定めている胃腸用埋め込み装置。
【請求項７】
請求項６において、前記波状パターンが、少なくとも４つの振幅を有している胃腸用埋め込み装置。
【請求項８】
請求項６において、前記弾性部材が、金属、合金、プラスチック、およびこれらの組み合わせで構成されるグループから選択される材料を含んでいる胃腸用埋め込み装置。
【請求項９】
請求項６において、前記弾性部材が、超弾性合金を含んでいる胃腸用埋め込み装置。
【請求項１０】
請求項９において、前記超弾性合金が、ニッケル‐チタニウム合金である胃腸用埋め込み装置。
【請求項１１】
請求項６において、前記弾性部材が、複数のストランドを含んでいる胃腸用埋め込み装置。
【請求項１２】
請求項１１において、前記複数のストランドのいくつかが、異なる物理的特性を有している胃腸用埋め込み装置。
【請求項１３】
請求項６において、前記弾性部材が、或る物理的特性を持つ第１の長さ部分と前記第１の長さ部分の物理特性と関連した別の物理的特性を持つ第２の長さ部分とを有している胃腸用埋め込み装置。
【請求項１４】
請求項１３において、前記物理的特性が弾性である胃腸用埋め込み装置。
【請求項１５】
請求項１３において、前記物理的特性が厚さである胃腸用埋め込み装置。
【請求項１６】
請求項１３において、前記物理的特性が横断面形状である胃腸用埋め込み装置。
【請求項１７】
請求項１において、前記波状アンカが、緩められた状態と圧縮された状態との間で可変である中央管腔の直径を定めており、前記両端は、軸方向の長さによって隔てられており、埋め込まれたときの直径に対する軸方向の長さの比が、少なくとも１である胃腸用埋め込み装置。
【請求項１８】
請求項１７において、前記緩められた直径が、４５ミリメートルである胃腸用埋め込み装置。
【請求項１９】
請求項１において、前記波状アンカを胃腸管の生まれつきの管腔内に取り付けるための造作をさらに有している胃腸用埋め込み装置。
【請求項２０】
請求項１９において、前記取り付けのための造作が、前記波状アンカと生まれつきの管腔との間に形成される干渉を伴う嵌め合いを含んでいる胃腸用埋め込み装置。
【請求項２１】
請求項２０において、前記取り付けのための造作が、機械的な固定具、化学的な固定具、およびこれらの組み合わせで構成されるグループから選択される胃腸用埋め込み装置。
【請求項２２】
請求項２１において、前記化学的な固定具が、外科用の接着剤を含んでいる胃腸用埋め込み装置。
【請求項２３】
請求項２１において、前記機械的な固定具が、針状突起物、縫合糸、外科用ホチキス、およびこれらの組み合わせで構成されるグループから選択される胃腸用埋め込み装置。
【請求項２４】
請求項２０において、第１の複数の針状突起物を使用して取り付けられる胃腸用埋め込み装置。
【請求項２５】
請求項２４において、前記複数の針状突起物のそれぞれが、一端が前記波状アンカへと取り付けられ他端が前記中心軸からおおむね外向きに延びている細長い部材を有しており、前記針状突起物が、周囲の腸の筋肉組織に係合するような寸法とされている胃腸用埋め込み装置。
【請求項２６】
請求項２４において、前記複数の針状突起物が分解性である胃腸用埋め込み装置。
【請求項２７】
請求項２４において、前記第１の複数の針状突起物が、軸方向に分布して実質的に当該装置の端部のうちの一方に位置している胃腸用埋め込み装置。
【請求項２８】
請求項２７において、軸方向に分布した第２の複数の針状突起物を、前記第１の複数の針状突起物と当該装置の他端との間に配置してさらに有している胃腸用埋め込み装置。
【請求項２９】
動物の胃腸管の生まれつきの管腔へと挿入されるように構成された第１の環状部材と、
前記第１の環状部材を前記生まれつきの管腔内に固定して取り付けるための固定具と、
胃腸用の埋め込み物と、
前記第１の環状部材と前記胃腸用の埋め込み物との間を着脱可能に接続するためのコネクタと、
を有している胃腸用埋め込み装置。
【請求項３０】
請求項２９において、前記固定具が、機械的な固定具、化学的な固定具、およびこれらの組み合わせで構成されるグループから選択される胃腸用埋め込み装置。
【請求項３１】
請求項３０において、前記機械的な固定具が、針状突起物、縫合糸、外科用ホチキス、およびこれらの組み合わせで構成されるグループから選択される胃腸用埋め込み装置。
【請求項３２】
請求項２９において、前記胃腸用の埋め込み物が、第２の環状部材を含んでいる胃腸用埋め込み装置。
【請求項３３】
請求項３２において、前記第２の環状部材が、上流端および下流端の間に中央管腔を定める非支持の可撓スリーブを含んでいる胃腸用埋め込み装置。
【請求項３４】
請求項２９において、前記コネクタが、前記第１の環状部材および前記胃腸用埋め込み物のうちの一方に取り付けられ、前記第１の環状部材および前記胃腸用埋め込み物のうちの他方の造作と係合するように構成されている締め具を含んでいる胃腸用埋め込み装置。
【請求項３５】
請求項２９において、前記コネクタが、磁気による引力によって動作する胃腸用埋め込み装置。
【請求項３６】
請求項２９において、前記コネクタが、前記第１の環状部材および前記胃腸用埋め込み物のうちの一方に取り付けられ、前記第１の環状部材および前記胃腸用埋め込み物のうちの他方の造作と係合するように構成されている磁石を含んでいる胃腸用埋め込み装置。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
乗物用の乗客シート構造であって、
隣接した列にアレンジされた少なくとも２つの前方向き乗客シートを含んで構成され、前後乗客シート間には乗客占有空間が提供されており、それぞれの乗客シートは、
(a)乗物の床に固定状態で設置されるように設計されている背支持体と、
(b)前記背支持体内に少なくとも部分的に設置されており、下端と上端とを有した背保持部と、
(c)前方端と、前記背支持部の前記下端に回動式に取り付けられた後方端とを有した座席部と、
を含んで成り、前記背保持部と前記座席部は共に、前記背支持体とは相対的に直立シートポジションと少なくとも１つのリクラインシートポジションとの間で移動できるが、前記背保持部が後方の前記乗客占有空間内に進入しないように設計されており、前記乗客シートは、
(d)前記背保持部が直立シートポジションと少なくとも１つのリクラインシートポジションとの間で移動するとき、前記背支持体に対する前記背保持部のスライド係合を提供するため、前記背支持体に対して支持力を付与し、前記背保持部に取り付けられたベアリング構造をさらに含んでいることを特徴とする乗客シート構造。
【請求項２】
ベアリング構造は少なくとも１つのローラを含んでいることを特徴とする請求項１記載の乗客シート構造。
【請求項３】
座席部は座部フレームを含み、背保持部は背フレームを含んでいることを特徴とする請求項１記載の乗客シート構造。
【請求項４】
背フレームは少なくとも１つのピボットで座部フレームに回動式に取り付けられていることを特徴とする請求項３記載の乗客シート構造。
【請求項５】
座部フレームとスライド係合するスライドレール構造をさらに含んでおり、該座部フレームが前後にスライドするとき背フレームはピボット周囲を回転することを特徴とする請求項４記載の乗客シート構造。
【請求項６】
隣接した列にアレンジされた少なくとも２つの乗客シートは前後に１４０ｃｍ以下の選択ピッチで分離されていることを特徴とする請求項１記載の乗客シート構造。
【請求項７】
背保持部と座席部は協調的に直立シートポジションとリクラインシートポジションとの間で選択的に可動であり、乗客シートが直立シートポジションとリクラインシートポジションとの間で移動されるとき、乗客の重心は乗物の床の上方で実質的に同一の高さに維持されることを特徴とする請求項１記載の乗客シート構造。
【請求項８】
背保持部は複数の間隔を開けた側部要素を有した複合湾曲部材であることを特徴とする請求項１記載の乗客シート構造。
【請求項９】
乗客シートであって、
(a)乗物の床に固定状態で設置されるように設計されている背支持体と、
(b)前記背支持体内に少なくとも部分的に設置されており、下端と上端とを有した背保持部と、
(c)前方端と、前記背支持部の前記下端に回動式に取り付けられた後方端とを有した座席部と、
(d)前記背保持部が直立シートポジションと少なくとも１つのリクラインシートポジションとの間で移動するとき、前記背支持体に対する前記背保持部のスライド係合を提供するため、前記背支持体に対して支持力を付与し、前記背保持部に取り付けられたベアリング構造と、
を含んで成り、前記背保持部と前記座席部は共に、前記背支持体とは相対的に直立シートポジションと少なくとも１つのリクラインシートポジションとの間で移動できるが、前記背保持部の上端が前記背支持体の後方に延び出さないように設計されていることを特徴とする乗客シート。
【請求項１０】
ベアリング構造は少なくとも１つのローラを含んでいることを特徴とする請求項９記載の乗客シート。
【請求項１１】
座席部は座席フレームを含んでおり、背保持部は背フレームを含んでいることを特徴とする請求項９記載の乗客シート。
【請求項１２】
背フレームは少なくとも１つのピボットで座席フレームに回動式に取り付けられていることを特徴とする請求項１１記載の乗客シート。
【請求項１３】
座席フレームとスライド式に係合するスライドレール構造体をさらに含んでおり、該座席フレームが前後にスライドするとき背フレームはピボット周囲で回動することを特徴とする請求項１２記載の乗客シート。
【請求項１４】
少なくとも２つの乗客シートは前後に１４０ｃｍ以下の選択ピッチで分離されていることを特徴とする請求項９記載の乗客シート。
【請求項１５】
背保持部と座席部は協調的に直立シートポジションとリクラインシートポジションとの間で選択的に可動であり、乗客シートが直立シートポジションとリクラインシートポジションとの間で移動されるとき、乗客の重心は乗物の床の上方で実質的に同一の高さに維持されることを特徴とする請求項９記載の乗客シート。
【請求項１６】
背保持部は複数の間隔を開けた側部要素を有した複合湾曲部材であることを特徴とする請求項９記載の乗客シート。
【請求項１７】
乗客シートであって、
(a)乗物の床に本乗客シートを設置させるフレームと、
(b)前記フレームに固定状態で取り付けられた背支持体と、
(c)前記背支持部とスライド式に係合する背保持部と、
(d)前記背保持部に対する前記背保持部のスライド式係合を提供するため、前記背支持体に対して支持力を提供している前記背保持部に取り付けられたベアリング構造と、
を含んで成り、前記背保持部は直立シートポジションと少なくとも１つの他のポジションとの間で固定された背支持体に対してスライドするが、前記背保持部は前記背支持体の後方の、第１乗客シートの背支持体と隣接する列の床に設置された第２乗客シートの背支持体との間に提供されている乗客空間内に進入しないことを特徴とする乗客シート。
【請求項１８】
乗物用の乗客シートであって、
(a)乗物の床に設置される背支持体と、
(b)前記背支持体内に少なくとも部分的に提供される背保持部と、
(c)前記背保持部に対する前記背保持部のスライド式係合を提供するため、前記背支持体に対して支持力を提供している前記背保持部に取り付けられたベアリング構造と、
(d)前記背保持部に回動式に取り付けられ、前記背支持体に対して該背保持部と共に相対移動できる座席部と、
を含んで成り、前記座席部はスライドレール構造体とスライド式に係合する座席フレームを含んでおり、前記背保持部は少なくとも１つのピボットで前記座席フレームに回動式に取り付けられた背フレームを含んでおり、前記座席部が前記スライドレール構造体上でスライドするとき前記背保持部は前記ピボット周囲で回動することを特徴とする乗客シート。
【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
遊戯具が内蔵されたストローであって、
前記遊戯具は、
一定の間隔を隔てて互いに分離された一対の案内部材（１１０）であって、前記一対の案内部材はそれぞれ、ジグザグの形に配設された半円形の案内孔（１１１）を有する一対の案内部材（１１０）と、
前記案内部材（１１０）を支持するために前記案内部材（１１０）の間に互いに対向するように固定された一対の支持部材（１２０）であって、前記一対の支持部材（１２０）はそれぞれ、それらの中央に形成された支持孔（１２１）を有する一対の支持部材(１２０)と、
時計回り及び反時計回りに回転するように前記支持孔（１２１）に設けられた回転部材（１３０）であって、前記回転部材（１３０）は、前記支持部材（１２０）の前記支持孔（１２１）と同一線上に設けられたボディ（１３１）、中央に形成された穴（１３２）、前記ボディ（１３１）の周囲に放射状に設けられた３個の回転羽根（１３３）、及び回転軸（１３４）を有し、前記回転軸（１３４）は、前記ボディ（１３１）の前記穴（１３２）内に設けられると共に時計回り及び反時計回りに回転するように前記支持部材（１２０）の前記支持孔（１２１）に組み立てられた回転部材（１３０）と
を備え、
前記遊戯具（１００）を収容するための円筒状の本体（２１０）と前記ストロー（１０）を保持するための下部挿入口（２２０）とを備えるケース（２００）の内部に、前記遊戯具（１００）が積層すると共に堅固に設けられ、次に、前記ストロー（１０）を内部に保持するための上部挿入口（３１０）を有するキャップ（３００）が前記ケース（２００）の上部を覆い、前記下部挿入口（２２０）と前記上部挿入口（３１０）とに前記ストロー（１０）が挿入されるストロー。
【請求項２】
回転部材(１３０)は、蛍光性である、請求項１に記載のストロー。
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
卵巣癌の治療及び／又は予防用の薬物を製造するための、ＣＤＣＰ１ポリペプチドと相互作用し、或いはその発現又は活性を調整する作用物質の使用。
【請求項２】
前記作用物質が抗体、その機能的に活性な断片、誘導体又はアナログである、請求項１に記載の使用。
【請求項３】
前記抗体が、モノクローナル抗体、ポリクローナル抗体、キメラ抗体、ヒト化抗体又は二重特異性抗体であり、或いは、治療に関する部分、検出可能な標識、２次抗体若しくはその断片、エフェクター若しくはレポーター分子、細胞傷害性作用物質又はサイトカインと結合している、請求項２に記載の使用。
【請求項４】
卵巣癌の治療及び／又は予防用の薬物を製造するためのＣＤＣＰ１ポリペプチドの使用。
【請求項５】
前記薬物がワクチンである、請求項４に記載の使用。
【請求項６】
前記ＣＤＣＰ１ポリペプチドが、
（ａ）配列番号１のアミノ酸配列を含み又はそれからなり、或いは
（ｂ）配列番号１のアミノ酸配列と比べて１個又は複数のアミノ酸の置換、変更、欠失又は挿入を有する誘導体であってＣＤＣＰ１ポリペプチドの活性を保持するものである、請求項１から５までのいずれか一項に記載の使用。
【請求項７】
ＣＤＣＰ１ポリペプチドと相互作用し、或いはその発現又は活性を調整する作用物質を治療有効量で含む、卵巣癌の治療及び／又は予防のための薬剤組成物。
【請求項８】
前記作用物質が抗体、その機能的に活性な断片、誘導体又はアナログである、請求項７に記載の薬剤組成物。
【請求項９】
前記抗体が、モノクローナル抗体、ポリクローナル抗体、キメラ抗体、ヒト化抗体又は二重特異性抗体であり、或いは、治療に関する部分、検出可能な標識、２次抗体若しくはその断片、エフェクター若しくはレポーター分子、細胞傷害性作用物質又はサイトカインと結合している、請求項８に記載の薬剤組成物。
【請求項１０】
ＣＤＣＰ１ポリペプチドを含む組成物を治療有効量で含む、卵巣癌の治療及び／又は予防のための薬剤組成物。
【請求項１１】
前記組成物がワクチンである、請求項１０に記載の薬剤組成物。
【請求項１２】
前記ＣＤＣＰ１ポリペプチドが、
（ａ）配列番号１のアミノ酸配列を含み又はそれからなり、或いは
（ｂ）配列番号１のアミノ酸配列と比べて１個又は複数のアミノ酸の置換、変更、欠失又は挿入を有する誘導体であってＣＤＣＰ１ポリペプチドの活性を保持するものである、請求項７から１１までのいずれか一項に記載の薬剤組成物。
【請求項１３】
ＣＤＣＰ１ポリペプチドと相互作用する抗卵巣癌作用物質をスクリーニングする方法であって、
（ａ）前記ポリペプチドを候補作用物質と接触させるステップと、
（ｂ）前記候補作用物質が前記ポリペプチドと相互作用するか否かを判定するステップとを含む方法。
【請求項１４】
前記候補作用物質とＣＤＣＰ１ポリペプチドの相互作用の判定が、前記候補作用物質と前記ポリペプチドの結合を定量的に検出するステップを含む、請求項１３に記載の方法。
【請求項１５】
ＣＤＣＰ１ポリペプチドの発現又は活性を調整する抗卵巣癌作用物質をスクリーニングする方法であって、
（ｉ）候補作用物質の存在下での前記ポリペプチドの発現又は活性を、前記候補作用物質の不在下又は対照作用物質の存在下での前記ポリペプチドの発現又は活性と比較するステップと、
（ｉｉ）前記候補作用物質が前記ポリペプチドの発現又は活性を変化させるかどうかを判定するステップとを含む方法。
【請求項１６】
前記ポリペプチドの発現又は活性を所定の基準範囲と比較する、請求項１５に記載の方法。
【請求項１７】
第（ｉｉ）部が、さらなる試験のために、或いは治療的又は予防的使用のために、抗卵巣癌作用物質として、前記ポリペプチドと相互作用し、或いはその発現又は活性を調整する作用物質を選択するステップをさらに含む、請求項１５又は１６に記載の方法。
【請求項１８】
請求項１３から１７までのいずれか一項に記載の方法によって同定される作用物質であって、前記ポリペプチドと相互作用し、或いはその発現又は活性を変化させる作用物質。
【請求項１９】
対象における卵巣癌をスクリーニング及び／又は診断若しくは予後診断し、並びに／或いは卵巣癌治療の有効性をモニターする方法であって、前記対象から得た生体試料中でＣＤＣＰ１ポリペプチドの発現を検出及び／又は定量するステップを含む方法。
【請求項２０】
前記ポリペプチドの発現を、予め決定した基準範囲又は対照と比較する、請求項１９に記載の方法。
【請求項２１】
前記検出のステップが、
（ａ）前記試料を、ＣＤＣＰ１ポリペプチドに特異的な捕捉試薬と接触させるステップと、
（ｂ）前記試料中で前記捕捉試薬と前記ポリペプチドの間に結合が生じたかどうかを検出するステップとを含む、請求項１９又は２０に記載の方法。
【請求項２２】
ステップ（ｂ）が、捕捉されたポリペプチドを、直接的に又は間接的に標識した検出試薬を用いて検出することを含む、請求項２１に記載の方法。
【請求項２３】
前記捕捉試薬を固相上に固定化する、請求項２１又は２２に記載の方法。
【請求項２４】
ＣＤＣＰ１ポリペプチドと特異的に結合する抗体を用いて前記ポリペプチドを検出及び／又は定量する、請求項１３から１７までのいずれか一項に記載の方法。
【請求項２５】
前記抗体が、検出可能な標識、或いは２次抗体又はその断片と結合している、請求項２４に記載の方法。
【請求項２６】
ＣＤＣＰ１ポリペプチドに特異的な捕捉試薬、試薬及び使用説明書を含む診断キット。
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
（ａ）ボディケア製品、家庭用製品、生地又は繊維及び
（ｂ）（ｉ）ジアルキルヒドロキシルアミン安定剤、
（ｉｉ）ジアルキルヒドロキシルアミン安定剤塩、
（ｉｉｉ）ニトロン安定剤及び
（ｉｖ）アミンオキシド安定剤
からなる群より選択される少なくとも１種の化合物の有効安定化量
を含む安定化組成物。
【請求項２】
（ｉ）ジアルキルヒドロキシルアミン安定剤、
（ｉｉ）ジアルキルヒドロキシルアミン安定剤塩、
（ｉｉｉ）ニトロン安定剤及び
（ｉｖ）アミンオキシド安定剤
からなる群より選択される少なくとも１種の化合物を配合するか又は塗布することからなる、ボディケア製品、家庭用製品、生地又は繊維を安定化する方法。